(57)【要約】【課題】  異なる体型の入浴者であっても快適な入浴と節水効果とを確保することができる浴槽を提供する。【解決手段】  浴槽本体２の上方開口２ａを開閉する浴槽蓋３に逃し開口７を設ける。浴槽蓋３が浴槽本体２の上方開口２ａを閉じた際に浴槽蓋３と浴槽本体２との間に入浴者を入浴させる入浴スペース４を形成する。入浴スペース４を、逃し開口７を通して入浴者の浴槽本体２の上方開口２ａよりも上方部位を外部に逃すような入浴姿勢での入浴者の入浴を可能にすると共に、浴槽蓋３の下面、浴槽本体２の内面の少なくとも一方に設けた凹凸部５によって上記入浴姿勢にある入浴者の入浴スペース４内部位に模する形状に形成する。浴槽蓋３に浴水補給用孔６を入浴スペース４と外部とを連通するように穿設する。【選択図】図１
2008183057.tif 000002
【特許請求の範囲】
【請求項１】
浴槽本体の上方開口を開閉する浴槽蓋に逃し開口を設け、浴槽蓋が浴槽本体の上方開口を閉じた際に浴槽蓋と浴槽本体との間に入浴者を入浴させる入浴スペースを形成し、この入浴スペースを、逃し開口を通して入浴者の浴槽本体の上方開口よりも上方部位を外部に逃すような入浴姿勢での入浴者の入浴を可能にすると共に、浴槽蓋の下面、浴槽本体の内面の少なくとも一方に設けた凹凸部によって上記入浴姿勢にある入浴者の入浴スペース内部位に模する形状に形成し、浴槽蓋に浴水補給用孔を入浴スペースと外部とを連通するように穿設したことを特徴とする浴槽。
【発明の詳細な説明】
【技術分野】
【０００１】
本発明は、浴槽に関するものである。
【背景技術】
【０００２】
従来一般の浴槽１´は、図６のように略水平な底壁２０の周縁から略垂直な側壁２１を立設させた浴槽本体２を有し、浴槽本体２内には底壁２０と側壁２１とで囲繞される略矩形の方体状の入浴スペース４が形成されるようになっている。しかしながら、この略矩形の方体状の入浴スペース４は、入浴者に触れて暖めるなど有効な使用には供しない浴水で満たされることとなる不使用スペース（図中クロスハッチング部分）が多く存在するものであり、つまり、入浴に供しない無駄水を余分に溜めてしまうものであった。
【０００３】
しかして、たとえば特許文献１のように、浴槽本体と浴槽蓋とで入浴者の人体形状に模した入浴スペースを形成し、無駄水を発生させる不使用スペースを抑制して節水効果を高めた浴槽が開発されるに至っている。
【０００４】
しかしながら、家族で一の浴槽を使用するなど浴槽を使用する入浴者が複数人いる場合、入浴者ごとにその体型は異なるものであって、入浴スペースに一定量の浴水が供給される上記特許文献１の浴槽では、体型の大きな入浴者では浴槽外に浴水が溢れ出したり、体型の小さな入浴者では入浴部位の全てが浴水に浸からない状態となったりする恐れがある。つまり、上記特許文献１の浴槽では、異なる体型の入浴者であっても快適な入浴と節水効果とを確保することは困難であった。
【特許文献１】特開２００１−３２１４１３号公報
【発明の開示】
【発明が解決しようとする課題】
【０００５】
本発明は上記の点に鑑みてなされたものであり、その目的とするところは、異なる体型の入浴者であっても快適な入浴と節水効果とを確保することができる浴槽を提供することを課題とするものである。
【課題を解決するための手段】
【０００６】
上記課題を解決するために請求項１に係る浴槽にあっては、浴槽本体２の上方開口２ａを開閉する浴槽蓋３に逃し開口７を設け、浴槽蓋３が浴槽本体２の上方開口２ａを閉じた際に浴槽蓋３と浴槽本体２との間に入浴者を入浴させる入浴スペース４を形成し、この入浴スペース４を、逃し開口７を通して入浴者の浴槽本体２の上方開口２ａよりも上方部位を外部に逃すような入浴姿勢での入浴者の入浴を可能にすると共に、浴槽蓋３の下面、浴槽本体２の内面の少なくとも一方に設けた凹凸部５によって上記入浴姿勢にある入浴者の入浴スペース４内部位に模する形状に形成し、浴槽蓋３に浴水補給用孔６を入浴スペース４と外部とを連通するように穿設したことを特徴とする。
【０００７】
これによると、入浴スペース４が所定の入浴姿勢にある入浴者の入浴部位（入浴スペース４内部位）に模した形状に形成されているので、入浴者を位置させた入浴スペース４に対して無駄水を発生させる不使用スペースの形成を抑制することができて節水効果を確保することができ、更に、浴槽蓋３に浴水補給用孔６を入浴スペース４と外部とを連通するように穿設しているので、外部から浴水補給用孔６を通じて入浴者の体型に見合う量の浴水を入浴スペース４に適宜補給でき、たとえば体型の小さい入浴者の場合であっても入浴部位（入浴スペース４内部位）の全てを浴水に浸けるようにでき、つまり異なる体型の入浴者であっても快適な入浴を確保することができる。
【発明の効果】
【０００８】
本発明にあっては、異なる体型の入浴者であっても快適な入浴と節水効果とを確保することができる、という利点を有する。
【発明を実施するための最良の形態】
【０００９】
以下、本発明を添付図面に示す実施形態に基いて説明する。
【００１０】
本例の浴槽１は、図４のように浴室１０の洗い場１１に隣接して据え置かれる浴槽本体２と、浴槽本体２の上方開口２ａを開閉する浴槽蓋３とを備えて構成されている。なお、浴槽本体２は底壁２０の周縁から側壁２１を立設して成り、上方開口２ａは側壁２１の上端で囲繞されて構成される。浴槽１は平面視で略長方形状、あるいは平面視略楕円形状のいわゆる長形に形成されており、入浴者はその身体を浴槽１の長手方向に合わせるようにして入浴する。便宜上、入浴者の頭部が位置する浴槽１の一端側の部位を頭部側端部（図中Ａ）と称し、他端側部の部位は入浴者の足先が位置する足先側端部（図中Ｂ）と称する。
【００１１】
本例では、浴槽本体２はその足先側端部の外面を浴室１０の壁１２に沿わせるように配置されている。浴槽蓋３は、図２のように、その足先側端部が浴槽本体２の足先側端部の外面が沿う浴室１０の壁１２に対してヒンジ１３を介して取り付けられており、頭部側端部が足先側端部を回動中心として上下に起倒自在にされている。そして、この浴槽蓋３は、その周縁部３１が浴槽本体２の側壁２１の上端面に載置された状態で、該周縁部３１で囲まれた蓋本体部３０によって浴槽本体２の上方開口２ａが閉塞されるようになっている。
【００１２】
入浴者は浴槽本体２の内部の入浴スペース４に入浴するものであるが、図１のように、浴槽本体２の上方開口２ａが浴槽蓋３で閉塞された状態でも入浴可能になっている。すなわち、浴槽蓋３の頭部側端部には、図４のように、入浴姿勢にある入浴者における浴槽本体２の上方開口２ａよりも上方部位を外部に逃すための、切り欠き開口状の逃し開口７が形成されている。逃し開口７は、浴槽本体２の上方開口２ａを浴槽蓋３で閉塞した状態で入浴スペース４と浴槽１の外部とを連通させるものであり、少なくとも入浴者の首を挿通できる程度の大きさの開口に形成することもできるが、たとえば図５のように、入浴者の胸部を挿通できる程度の大きさの開口に形成すると共にその開口上縁に亙って入浴者の腕を置くアームレスト部１４を備えるようにして入浴姿勢の快適さを向上させてもよい。なお、図５のアームレスト部１４は、浴槽蓋３の上面から凹没させた凹段部３２で構成されると共に凹段部３２の上面には逃し開口７に向かう水勾配３２ａが形成されており、入浴者の腕から滴り落ちる浴水が浴槽蓋３の上面全域に広がらずに逃し開口７から入浴スペース４に流下できるようにされている。
【００１３】
ところで、本例の浴槽１では、上述のように入浴者は浴槽本体２の上方開口２ａを浴槽蓋３で閉塞した状態で入浴可能にされており、つまり浴槽蓋３が浴槽本体２の上方開口２ａを閉じた際の浴槽本体２と浴槽蓋３との間に入浴者を浴水に浸からせて入浴する部位である入浴スペース４が形成される。この入浴スペース４は、浴槽本体２の内面や浴槽蓋３の下面に設けた凹凸部５によって、上記浴槽本体２の上方開口２ａを浴槽蓋３で閉塞した状態で入浴する入浴者の入浴姿勢（詳しくは、入浴姿勢にある入浴者の入浴スペース４内部位）に模した形状に形成される。なお、本例の浴槽１における入浴者の入浴姿勢は、図１のように、全体として身体の表面側を上方に向けると共に身体の背面側を下方に向けるようにし、頭部を入浴スペース４から逃し開口７を介して浴槽１の外部に出して浴槽本体２の頭部側端部の側壁２１ａの上端に凭れ掛け、上肢をやや仰け反らせた状態にすると共に臀部を浴槽本体２の底壁２０におけるやや頭部側端部寄りの部位に載置し、窮屈にならない程度に膝を折り曲げた状態にすると共に足先部を浴槽本体２の底壁２０と足先側端部の側壁２１ｂとのコーナー部に載置させる、といった姿勢である。
【００１４】
上記凹凸部５としては、本例では、図３のように、浴槽本体２の内面に設けた背中側スペーサ５０と足側スペーサ５１、浴槽蓋３の下面に設けた人体表面側スペーサ５２で構成される。背中側スペーサ５０は、入浴姿勢にある入浴者の臀部が載置される臀部載置域２０ａよりも頭部側の浴槽本体２の底壁２０から浴槽本体２の頭部側端部の側壁２１ａに亙る部位に突設され、その突出面が頭部側端部側から足先側端部側に向けて下り傾斜するように形成されている。この背中側スペーサ５０はその突出面が入浴姿勢にある入浴者の背中部に沿うようにされている。
【００１５】
また、足側スペーサ５１は、入浴姿勢にある入浴者の臀部が載置される臀部載置域２０ａよりも足先側の浴槽本体２の底壁２０の部分から浴槽本体２の足先側端部の側壁２１ｂに亙る部位に突設され、その突出面が足先側端部側から頭部側端部側に向けて下り傾斜するように形成されており、突出面の所定高さ位置には浴槽本体２の底壁２０と足先側端部の側壁２１ｂとのコーナー部に一端が開口するように穿設された一対の足挿入穴５３の他端が開口している。この足側スペーサ５１は、図１のように、その突出面における足挿入穴５３の開口位置よりも下方域５１ａが入浴姿勢にある入浴者の大腿部の背面に沿うようにされ、入浴姿勢にある入浴者の膝下を挿入させる足挿入穴５３の穴内面が該入浴者の膝下部分に沿うようにされている。この背中側スペーサ５０と足側スペーサ５１とによると、入浴スペース４を少なくとも入浴姿勢にある入浴者の背面形状に模した形状にできる。
【００１６】
また、人体表面側スペーサ５２は、浴槽蓋３の下面の蓋本体部３０の部位に突設され、その突出面は、足先側端部側から頭部側端部側に順に、足先側端部側から頭部側端部側に向けて下り傾斜する第１下り傾斜面５２ａ、第１下り傾斜面５２ａの下端から頭部側端部側に向けて上り傾斜する第１上り傾斜面５２ｂ、第１上り傾斜面５２ｂの上端から頭部側端部側に向けて下り傾斜する第２下り傾斜面５２ｃ、第２下り傾斜面５２ｃの下端から頭部側端部側に向けて上り傾斜する第２上り傾斜面５２ｄを連設させて形成されている。浴槽本体２の上方開口２ａを浴槽蓋３が閉塞したときには、図１のように、人体表面側スペーサ５２の第１上り傾斜面５２ｂは足側スペーサ５１の突出面における足挿入穴５３の開口位置よりも上方域５１ｂに対向配置される。また、このときには、第１上り傾斜面５２ｂと第２下り傾斜面５２ｃとは入浴姿勢にある入浴者の膝から大腿部の表面に沿うようにされ、第２上り傾斜面５２ｄは入浴姿勢にある入浴者の上肢の表面に沿うようにされる。この人体表面側スペーサ５２によると、入浴スペース４を少なくとも入浴姿勢にある入浴者の表面形状に模した形状にできる。
【００１７】
このように浴槽本体２の上方開口２ａを浴槽蓋３で閉塞した際には、浴槽本体２及び浴槽蓋３に設けた凹凸部５によって入浴スペース４を入浴姿勢にある入浴者の人体形状に略沿うような形状にできたものであり、つまり、入浴者を位置させた入浴スペース４に対して無駄水を発生させる不使用スペースの形成を抑制することができて高い節水効果が確保されているのである。なお、入浴スペース４を入浴姿勢にある入浴者に模した形状にするには、浴槽本体２、浴槽蓋３のいずれかの凹凸部５を使用するだけでも形成させ得るのであり、節水効果を図ることができるのはいうまでもない。
【００１８】
なお、上記凹凸部５は少なくとも自己保形性を有しており、たとえば浴槽本体２や浴槽蓋３と同材料にして浴槽本体２や浴槽蓋３の製造時に一体に形成させて浴槽１の製造性を向上させてもよいし、凹凸部５を浴槽本体２や浴槽蓋３とは別体物にして浴槽本体２や浴槽蓋３に接着させて一体化させてもよい。後者の場合には凹凸部５を浴槽本体２や浴槽蓋３とは別材料で形成でき、たとえば凹凸部５を多少の弾力性を有して入浴者に当った際の衝撃を吸収可能にするゴム等の弾性材料で構成させることもできる。
【００１９】
ところで、本例の浴槽蓋３には、浴槽本体２の上方開口２ａを浴槽蓋３で閉塞した際に入浴スペース４と浴槽１の外部とを連通する浴水補給用孔６が穿設されている。具体的に本例では、浴水補給用孔６は、図４のように、浴槽蓋３における洗い場側寄りで且つ頭部側端部寄りの部位と、洗い場側寄りで且つ足先側端部寄りの部位との２箇所に穿設されており、それぞれの浴水補給用孔６は取り外し可能な蓋８で開閉自在にされている。詳しくは、前者の浴水補給用孔６ａは、洗髪等の洗い場作業の折りにシャワー１５の吐水を注入し易い位置に設けたものであり、図１のように人体表面側スペーサ５２の第２上り傾斜面５２ｄに一端が開口して入浴スペース４に連通するようにされている。また、後者の浴水補給用孔６ｂは、浴室１０の壁１２に設けたカラン１６からの吐水を注入し易い位置に設けたものであり、図１のように人体表面側スペーサ５２の第１下り傾斜面５２ａに一端が開口しており、対向配置される人体表面側スペーサ５２の第１上り傾斜面５２ｂと足側スペーサ５１の突出面における足挿入穴５３の開口位置よりも上方域５１ｂとの隙間を介して入浴スペース４に連通するようにされている。
【００２０】
このように、浴槽蓋３に浴水補給用孔６を入浴スペース４と外部とを連通するように穿設しているので、外部から浴水補給用孔６を通じて入浴者の体型に見合う量の浴水を入浴スペース４に適宜補給できる。したがって、たとえば体型の小さい入浴者の場合であっても、入浴者が浴水補給用孔６を介した入浴スペース４への浴水補給を行うことによって、その入浴部位（入浴スペース４内部位）の全てを浴水に浸けて快適に浴槽１を使用することができるのである。つまり、異なる体型の入浴者であっても快適な入浴を確保することができるのである。
【００２１】
なお、上記実施形態では、浴槽蓋３は、その足先側端部が浴室１０の壁１２に対して起倒自在に取り付けられているが、浴槽本体２の足先側端部に対して起倒自在に取り付けてもよく、また、一般の浴槽蓋のように浴槽本体２や浴槽１の壁に対するヒンジ１３のような連結部材を備えず、別体の浴槽本体２に対して接離自在に使用するようなものでもよい。
【図面の簡単な説明】
【００２２】
【図１】本発明の実施の形態の例の入浴者が入浴した状態の浴槽の側断面図である。
【図２】同上の浴槽における浴槽蓋が浴槽本体の上方開口を開放した状態の斜視図である。
【図３】同上の浴槽における浴槽蓋が浴槽本体の上方開口を開放した状態（図２）の側断面図である。
【図４】同上の浴槽における浴槽蓋が浴槽本体の上方開口を閉塞した状態（図１）の斜視図である。
【図５】本発明の実施の形態の他例の浴槽の要部の斜視図である。
【図６】従来一般の浴槽の側断面図である。
【符号の説明】
【００２３】
１  浴槽
２  浴槽本体
２ａ  上方開口
３  浴槽蓋
４  入浴スペース
５  凹凸部
６  浴水補給用孔
７  逃し開口
【図１】
2008183057.tif 000003
【図２】
2008183057.tif 000004
【図３】
2008183057.tif 000005
【図４】
2008183057.tif 000006
【図５】
2008183057.tif 000007
【図６】
2008183057.tif 000008